(57)【要約】      （修正有）【課題】ペット食器に嵌合式組合部を設け、複数の食器を互いに連結して使用できる様に形成して、餌の量、種類に応じて複数の該ペット食器を一体の物として結合することで、容易には滑ったり、ひっくり返ることなく安定して使用できるペット用食器を提供する。【解決手段】該ペット食器は、複数のユニット皿１０が相互に組合せてなるものであり、各ユニット皿は単独でも用いられるが、各該ユニット皿には、餌入れスペース１１、対称して該餌入れスペースの周りに形成された周側壁１２、そして少なくとも該周側壁の一つの片側は挿入またはスナップインによる組合せの位置決め作用を持つ嵌込式組合部１３を設けて構成する。【選択図】図４
0003153360.tif 000002
【実用新案登録請求の範囲】
【請求項１】
単一または複数のユニット皿１０からなるものであり、該ユニット皿１０には、
少なくともペット食品を入れるための餌入れスペース１１が一つあり、
対称して該餌入れスペース１１の回りに形成された周側壁１２があり、
少なくとも該周側壁１２に設けられた嵌込式組合部１３が一つあり、そして、少なくともその一つの片側は挿入またはスナップインによる組合せの位置決め作用を持つ形態であるように設けられており、
それによって、同じ構造の二つの該ユニット皿１０は、該嵌込式組合部１３が相互の対向位置の組合せによって連結して用いられるとともに、取外しやすくなるように設けられていることを特徴とする組合せ追加可能なペット食器。
【請求項２】
該周側壁１２は以下の何れかの形状の一つ、多辺形、方形、円形、三角形など幾何形に該当するものであることを特徴とする請求項１に記載の組合せ追加可能なペット食器。
【請求項３】
該嵌込式組合部１３は、該周側壁１２に均一に間隔されたの複数の嵌め込んだ組嵌め型突出部１３１と嵌め型ミゾ部１３２からなるものであることを特徴とする請求項１に記載の組合せ追加可能なペット食器。
【請求項４】
該嵌込式組合部１３は、該周側壁１２の片側に設けられている嵌め型突出部１３１または嵌め型ミゾ部１３２からなるものであることを特徴とする請求項１に記載の組合せ追加可能なペット食器。
【請求項５】
該嵌め型突出部１３１は、以下の何れかの形状の一つ、Ｔ形、鳩尾形、径広げ円頭形に該当し、それによって、該嵌め型ミゾ部１３２を該嵌め型突出部１３１の形状に合わせるためのミゾ部形状に形成させることを特徴とする請求項３または請求項４に記載の組合せ追加可能なペット食器。
【考案の詳細な説明】
【技術分野】
【０００１】
本考案はペット食器に関わり、特に、組合せ追加可能のオリジナルなペット食器構造形態に関する。
【背景技術】
【０００２】
現代の社会で、ペットを飼うのが流行しているが、生活レベルの向上に伴って、ペット関連用品の設計や機能性、実用性が向上している。ペット用品関連業者が市場での激しい競争や多様なニーズに対応して、続いて経営するために、持続的に考案して、今までのものを突破していかなければならない。
【０００３】
猫や犬などのペットに餌をやるとき、人々は通常、餌をお皿（例えば、鉄のお皿、プラスチックのお皿など）の中に入れてから、ペットがお皿に入れてある餌を食べることになるが、一見簡単そうに見える餌やりの過程だが、多くの飼い主が幾つかの問題と悩みを抱えている。ペットの餌は一種類だけではなく、一般的な餌と飲用水のほかに、飼い主がペットのために幾つかの副食品を用意してくれるということで、その多様なニーズに対応するために、飼い主は上述の餌、飲用水や副食品をそれぞれ入れるための食器を用意する。しかし、これらの食器はそれぞれの底面積が小さくて、ペットが餌を食べているとき、食器がペットに動かされ、踏まれたりして、ひっくり返しやすくなり、また、あちこち置いてある食器は、環境が乱れているように見えるし、そうなると、騒音が発生しやすく、環境が汚れやすくなり、数匹のペットを飼っている場合、食器の数が多くて、その問題がひどくなり、飼い主の大きな悩みになる。
【０００４】
それゆえ、上述の問題点について、より具体的で実用性のあるオリジナルなペット食器構造を開発するのが、使用者が望むことであり、関係業者が努力し、研究開発して、突破すべき目標と方向でもある。
【０００５】
それを鑑みて、考案者は関連製品の製造、開発や設計に携わる長年の経験を持っており、上述の目標について詳しく設計し、評価したうえ、ようやく実用性のある本考案を得られたわけである。
【考案の概要】
【考案が解決しようとする課題】
【０００６】
本考案は、組合せ追加可能なペット食器を提供することを目的とし、解決しようとする課題は、従来のペット食器は使用のとき、ペットに動かされたりして、騒音が発生しやすく、ひっくり返しやすくなり、あちこち置かれて環境が乱れているなどの問題点を改良して突破すること。
【課題を解決するための手段】
【０００７】
本考案の課題を解決するための手段つまり技術特徴として、該ペット食器は複数のユニット皿が相互に組合せてなるものであり、各ユニット皿は単独でも用いられるが、各該ユニット皿には、餌入れスペース、対称して該餌入れスペースの周りに形成された周側壁、そして少なくとも該周側壁の一つの片側は挿入またはスナップインによる組合せの位置決め作用を持つ嵌込式組合部が設けられていることを特徴とするものであり、このようなオリジナルな設計により、本考案は背景技術に示した従来の技術に比べて、各該ユニット皿は該嵌込式組合部が相互の対向位置の組み合わせによって一緒に連結して用いられるとともに、取外しやすくなるように設けられており、この本考案の設計によって、飼い主は餌の量、種類によって、該ユニット皿を追加してその数を調整できるし、それらを組合せて、連結して使用すると、容易に滑ったりひっくり返したりせずに、安定に用いられるメリットがあり、また、ペット用食器の使用状態を整えてまとめて、環境の品質が向上するという実用性と進歩性がある。
【考案の効果】
【０００８】
本考案により、次のように効果向上の事実がある。
【０００９】
本考案に掲示した“組合せ追加可能なペット食器”は主に、該ユニット皿の周側壁及び設けられた嵌込式組合部からなるオリジナルな設計であり、本考案は背景技術に示した従来の構造に比べて、各該ユニット皿は該嵌込式組合部が相互の対向位置の組み合せによって一緒に連結して、用いられることになり、取り外しもかなり簡単になり、本考案の設計により、飼い主は餌の量、種類によって、該ユニット皿を追加してその数を調整できるし、それらを組合せて、連結して使用すると、容易に滑ったりひっくり返したりせずに、安定に用いられるメリットがあり、また、ペット用食器の使用状態を整えてまとめて、環境の品質が向上するという実用性と進歩性がある。
【００１０】
本考案により、次のような新しい効果がある。
【００１１】
商品の価値から言えば、本考案に掲示したペット食器は、ユニット皿が該嵌込式組合部の相互の組合せによって連結し、用いられるオリジナルな設計であり、従来のペット食器の単一容器形態のマンネリ化を突破し、該嵌込式組合部の突出部とミゾ部が組み合わせて、パズルや組合積み木のような面白い商品スタイルになるため、ペット食器は新規性のあるアイデア商品として現れ、使用者の注目を惹き付け、商品価値と競争力が上がり、好適な産業経済効果が得られる。
【００１２】
上述の実施例に掲示したのは、本考案を具体的に説明するための内容であり、文中で専門用語を用いて説明してきたが、それを以って本考案の実用新案登録請求の範囲を制限してならず、また、この分野が分かる者は本考案のコンセプトや考えを理解したうえ、変更や修正などを行ってこれと同等な効果があるものを得たとしても、これらの変更や修正はすべて後述の実用新案登録請求の範囲に含まれるものとする。
【図面の簡単な説明】
【００１３】
【図１】本考案のペット食器の単一ユニット皿の立体図。
【図２】本考案の複数のユニット皿の分解状態の平面鳥瞰図。
【図３】本考案の複数のユニット皿の組合状態の平面鳥瞰図。
【図４】本考案のペット食器の組合せ使用状態イメージ。
【図５】本考案の周側壁が方形に設けられた実施例図。
【図６】本考案の嵌込式組合部が鳩尾形の合わせ形態に設けられた実施例図。
【図７】本考案の嵌込式組合部が径広げ円頭形の合わせ形態に設けられた実施例図。
【図８】本考案の嵌込式組合部が片側に設けられた実施例図。
【図９】本考案の嵌込式組合部形態のもう一つの変化実施例図。
【図１０】本考案の周側壁が三角形に設けられた組合せの実施例図。
【図１１】本考案のユニット皿が大きさの違ったものに設けられた実施例の平面鳥瞰図。
【図１２】図１１に掲示した実施例の平面側面図。
【図１３】本考案のユニット皿が異なった形状の組合せに設けられた実施例の平面鳥瞰図。
【考案を実施するための形態】
【００１４】
図１〜図３に示すのは、本考案の組合せ追加可能なペット食器の好適な実施例であり、これらの実施例は説明のみに用いられ、実用新案登録請求の際、それらの構造に制限されない。該ペット食器は複数のユニット皿１０が相互に組合せてなるものであり、実際使用のとき、単一ユニット皿１０による単独使用形態でもよいが、各該ユニット皿１０Ｎには
少なくともペット食品、例えば餌、飲用水や副食品などを入れるための餌入れスペース１１が一つあり、
対称して周方向中央に対して線対称に形成され該餌入れスペース１１の回りに形成された周側壁１２があり、
少なくとも該周側壁１２に設けられた嵌込式組合部１３が一つあり、そして、少なくともその一つの片側つまり一方側は挿入またはスナップインによる組合せの位置決め作用を持つ形態であるように設けられており、
この構造組合せにより、図２と図３に示すように、各該ユニット皿１０は、該嵌込式組合部１３が相互の対向位置の組合せによって一緒に連結して用いられるとともに、取外しやすくなるように設けられている。
【００１５】
図４に示すのは、該ペット食器の複数のユニット皿１０が組合せて連結して、ペットに餌を提供するための使用状態のイメージである。その組合せて連結したユニット皿１０は単一ユニット皿より底面積が倍増し、つまり、ユニット数に比例して増大するため、安定性が大幅に向上し、ペットに動かされにくく、ペットに踏まれても簡単にひっくり返さないので、ペットの食事中に生じられる騒音や環境の汚れが大幅に低減されるほかに、複数のユニット皿１０が連結してまとめて使用したら、より整えて快適な環境に見られる。
【００１６】
該ペット食器のユニット皿１０の構成材質は制限がないが、例えばプラスチック、金属、木材、セラミック、石などを加工して、該述ペット食器構造形態が作られる。
【００１７】
該周側壁１２は、以下の何れかの形状の一つ、多辺形、方形、円形、三角形など幾何形つまり幾何学的形状に該当するものであり、図１〜４に示すユニット皿１０の周側壁１２は六辺形の形態に、図５に示すユニット皿１０Ｂの周側壁１２Ｂは方形の形態に設けられている。六辺形つまり六角形を用いると、特には図３に示すように、ユニット皿１０相互間に形成される隙間を小さくすることができ、空間を有効に活用して底面積をなるべく大きくするにあたり特に有効である。該周側壁１２が自身の周方向中央に線対称に形成されることに伴い、該嵌込式組合部１３を構成する組嵌め型突出部１３１と嵌め型ミゾ部１３２についてもそれぞれの周方向中央に対して線対称に形成される。
【００１８】
該嵌込式組合部１３の設置形態は、図１〜３に示すように均一に間隔された複数の嵌め込んだ組嵌め型突出部１３１と嵌め型ミゾ部１３２からなるものでもよいが、それによって、同じ構造の二つのユニット皿１０が相互に組合せ、すなわち、該嵌め型突出部１３１と嵌め型ミゾ部１３２の相互に対称つまり対向した位置が嵌め合って、位置決め効果が達成され、また、本実施例の多側向き嵌込式組合部１３の設置形態において、ユニット皿１０が多側向きに延長して拡充することができる。なお、多側向きとは六辺形つまり六角形のユニット皿１０の各辺に垂直かつ中央から離隔する方向を指す。
【００１９】
該嵌込式組合部１３の嵌め型突出部１３１と嵌め型ミゾ部１３２との具体的な組み合わせは複数の形状があるが、例えば、図１〜３に示す嵌め型突出部１３１と嵌め型ミゾ部１３２はＴ形の形態に、図６に示す嵌め型突出部１３１Ｂと嵌め型ミゾ部１３２Ｂはユニット皿１０の中央から離隔するにつれて周方向寸法が拡大又は縮小する形状である鳩尾の形態に、または図７に示す嵌め型突出部１３１Ｃと嵌め型ミゾ部１３２Ｃは円形と矩形を中央に指向する方向に並列した径広げ円頭形の形態に設けられており、そして、上述の嵌め型突出部１３１と嵌め型ミゾ部１３２の形態はそれぞれユニット皿１０の側から見ると、縦向き延長形態に見られるため、相互に組合せるとき、パズルのように上から下へと相互に組合せることになるが、このような嵌め込んだ組合せ方法は、取り外しや組み合わせが便利で、その組合せ状態は、横向き引張力と曲がった力に耐えられるという実用性のある設計である。縦向きとは例えば図２における紙面に垂直な方向であり、ユニット皿１０が形成する底面に垂直な方向である。
【００２０】
図８に示すように、該ユニット皿１０Ｃの嵌込式組合部１３は、該周側壁１２の片側つまり一方側の嵌め型突出部１３１または嵌め型ミゾ部１３２だけに設けられてもよいが、本実施例と上述した図１〜３に掲示した実施例との相違点といえば、本実施例は二つのユニット皿１０の組合形態のみに適用するが、市場ニーズに対応するために実施された形態の一つでもあり、そして、図８に掲示つまり図示したように、該単一ユニット皿１０の中に、複数の餌入れスペース１１が設けられてもよい形態である。
【００２１】
該ユニット皿１０Ｃの嵌込式組合部１３の具体的な形態は、上述した図１〜８に掲示した形態に制限されず、図９に示すように、掲示された嵌込式組合部１３の嵌め型突出部１３１Ｄは、該周側壁１２の局所位置に設けられた横向きではみ出した凸柱（円柱または角柱でもよい）形態であり、該嵌め型ミゾ部１３２Ｄは該嵌め型突出部１３１Ｄの形態に合わせるための内凹孔（円孔または角形孔でもよい）形態であり、この実施形態により、同じく相互に嵌め込んだ位置決め効果が達成される。横向きとは例えば図９中の六辺形柱状の含む六つの外側面に垂直な方向である。
【００２２】
図１０に掲示したユニット皿１０Ｄにおいて、該周側壁１２Ｄは三角形の形態で、本実施例の複数のユニット皿１０Ｄが相互に組合せて構成されるリング状形態であり、これによって、数匹のペットが同時に餌を食べることができる。
【００２３】
図１１、図１２に示すように、該ユニット皿１０は大きさの違った（高さや外径などを含み）変化形態に設けられてもよいが、それらは相互に同じ形態の嵌込式組合部１３の設計によって、組み合わせて連結することができる。
【００２４】
図１３に掲示したように、上述した形状の違ったユニット皿１０、１０Ｂ、１０Ｄは、同じく相互に同じ形態の嵌込式組合部１３の設計によって、組み合わせて連結することができる。
【符号の説明】
【００２５】
10    ユニット皿
11    ０Ｂ    ユニット皿
１０Ｃ    ユニット皿
１０Ｄ    ユニット皿
１１      餌入れスペース
１２      周側壁
１２Ｂ    周側壁
１２Ｄ    周側壁
１３      嵌込式組合部
１３１    嵌め型突出部
１３１Ｂ  嵌め型突出部
１３１Ｃ  嵌め型突出部
１３１Ｄ  嵌め型突出部
１３２    嵌め型ミゾ部
１３２Ｂ  嵌め型ミゾ部
１３２Ｃ  嵌め型ミゾ部
１３２Ｄ  嵌め型ミゾ部
【図１】
0003153360.tif 000003
【図２】
0003153360.tif 000004
【図３】
0003153360.tif 000005
【図４】
0003153360.tif 000006
【図５】
0003153360.tif 000007
【図６】
0003153360.tif 000008
【図７】
0003153360.tif 000009
【図８】
0003153360.tif 000010
【図９】
0003153360.tif 000011
【図１０】
0003153360.tif 000012
【図１１】
0003153360.tif 000013
【図１２】
0003153360.tif 000014
【図１３】
0003153360.tif 000015